(57)【要約】【課題】  ラベル連続体を切断して個々のラベルに簡単に分離させることができ、分離させたラベルを手提げ部分等に巻き掛けて取り付けたり、このラベルにより被結束物を結束させたり等する作業が容易に行えるようにし、さらにはこのラベルが付け替えられたりするのを確実に防止できるようにする。【解決手段】  長尺状のラベル基材１１の片面に接着層１２が設けられたラベル連続体１において、上記の接着層における接着剤に、粘着性が低く接着層相互の接着力が高い自着性接着剤を用い、ラベル基材の幅方向に個々のラベルに分離するためのラベル分離用切込み１３を設けると共に、このラベル分離用切込みと対応するようにラベル基材の幅方向に沿った分離補助線１４を設けた。【選択図】  図２
2010217622.tif 000002
【特許請求の範囲】
【請求項１】
長尺状のラベル基材の片面に接着層が設けられたラベル連続体において、上記の接着層における接着剤に、粘着性が低く接着層相互の接着力が高い自着性接着剤を用い、上記のラベル基材の幅方向に個々のラベルに分離するためのラベル分離用切込みを設けると共に、このラベル分離用切込みと対応するようにラベル基材の幅方向に沿った分離補助線を設けたことを特徴とするラベル連続体。
【請求項２】
請求項１に記載のラベル連続体において、上記のラベル分離用切込み及び分離補助線によって切断される個々のラベルにおける接着層相互を接着させる部分の少なくとも一方側に、ラベル破断用切込みを設けたことを特徴とするラベル連続体。
【請求項３】
請求項２に記載のラベル連続体において、上記のラベル破断用切込みをラベル基材の幅方向に沿って設けると共に、このラベル破断用切込みにラベル基材の幅方向と交差する方向に突出する部分を設けたことを特徴とするラベル連続体。
【請求項４】
請求項３に記載のラベル連続体において、上記のラベル破断用切込みにおけるラベル基材の幅方向と交差する方向に突出する部分を、ラベル基材の幅方向と交差する両方向に向けて設けたことを特徴とするラベル連続体。
【発明の詳細な説明】
【技術分野】
【０００１】
この発明は、長尺状のラベル基材の片面に接着層が設けられたラベル連続体に係り、このラベル連続体から分離された個々のラベルを、バスケットの手提げ部分等に巻き掛けるようにして取り付けたり、被結束物を結束させるようにしたり等することが簡単に行えるようにした点に特徴を有するものである。さらには、手提げ部分等に巻き掛けるように取り付けたり、被結束物を結束させたり等した後に、このラベルが付け替えられたりするのを確実に防止できるようにした点においても特徴を有するものである。
【背景技術】
【０００２】
従来から、飛行機等の交通手段を用いてトランクやバッグ等の荷物を輸送する場合、トランクの取手部分やバッグの手提げ部分等にタグを巻き掛けるようにして取り付けることが行われている。
【０００３】
また、近年においては、スーパーマーケット等での買い物の際に、ビニール袋を使用せずに、個人用のバスケットを持参し、レジでこの個人用のバスケットの中に購入商品を詰め替えることが行われるようになっている。また、個人用のバスケットに顧客が商品を詰め、レジで精算した後、このバスケットをそのまま持ち帰るようにすることも計画されている。
【０００４】
そして、このように購入商品を個人用のバスケットに詰めるようにした場合において、すでに精算が終了しているかを明確にするため、購入商品を詰めた個人用のバスケットの手提げ部分等に精算済みを示すタグを取り付けることも検討されている。
【０００５】
ここで、従来においては、特許文献１に示されるように、タグ合札から切り離される手荷物添付用タグの端部に貼着剤を塗布すると共にその上を剥離シートで覆い、この手荷物添付用タグを手荷物の取手部分等に巻き掛けると共に上記の貼着剤の上に設けた剥離シートを剥離させ、手荷物添付用タグの端部に塗布された貼着剤を手荷物添付用タグの他方の端部に貼着させて、手荷物添付用タグを手荷物の取手部分等に巻き掛けて取り付けるようにしたものが提案されている。
【０００６】
しかし、上記の手荷物添付用タグの場合、手荷物の取手部分等に取り付ける前に、その端部における貼着剤の上に設けた剥離シートが勝手に剥がれ、この貼着剤によって手荷物添付用タグが他の物品等に貼着されるという問題があった。
【０００７】
また、手荷物添付用タグの端部における貼着剤の上に剥離シートを取り付けたり、この手荷物添付用タグを手荷物の取手部分等に巻き掛けて取り付ける際に、剥離シートを貼着剤の上から剥離させたりする作業は面倒であり、この手荷物添付用タグの製造が面倒であると共に、この手荷物添付用タグを手荷物の取手部分等に巻き掛けて取り付ける作業も面倒になるという問題があった。
【０００８】
また、上記の手荷物添付用タグに塗布された貼着剤の粘着力が強いと、上記のようにこの貼着剤によって手荷物添付用タグが他の物品等に貼着された場合、この手荷物添付用タグを他の物品等から簡単に剥がすことができなくなる一方、この貼着剤の粘着力が弱いと、上記のようにして手荷物添付用タグを手荷物の取手部分等に巻き掛けて取り付けた後においても、この手荷物添付用タグを手荷物の取手部分等から簡単に取り外して付け替えることができるようになるという問題があった。
【０００９】
また、従来においては、特許文献２に示されるように、タグの基材に熱融着性の基材を用い、或いはタグの基材の裏面に熱融着性物質を付与し、このタグを手荷物の取手部分等に巻き掛けた後、この基材における熱融着部を接合させて加熱融着させるようにしたものも提案されている。
【００１０】
しかし、このようにタグを手荷物の取手部分等に巻き掛けた後、この基材における熱融着部を接合させて加熱融着させるためには、加熱融着させるための加熱装置などが必要になり、タグを取り付ける作業が非常に面倒になると共に、コストも高くつくという問題があった。
【００１１】
また、従来においては、書類などの被結束物を結束させるにあたり、特許文献３に示されるように、基材の片面に、被結束物との粘着力が極めて小さく、接着剤面相互の接着力が大きい接着剤を設けた結束用自着性テープを用いることが示されている。
【００１２】
しかし、この結束用自着性テープにおいては、これを簡単に適当な長さに切断できるようにして、手提げ部分等に巻き掛けるようにすることは示されていない。
【００１３】
また、この結束用自着性テープにおける上記の基材の破断強度の高い場合、この基材が破断されずに接着剤面相互が剥離され、この結束用自着性テープを自由に付け替えることができるようになるという問題もあった。
【先行技術文献】
【特許文献】
【００１４】
【特許文献１】実開昭６０−１１０８６９号公報
【特許文献２】特開平７−５６５１３号公報
【特許文献３】特公平１−５０３５１号公報
【発明の開示】
【発明が解決しようとする課題】
【００１５】
この発明は、長尺状のラベル基材の片面に接着層が設けられたラベル連続体において、ラベル連続体を簡単に所定の適当な長さに切断して個々のラベルに分離させることができると共に、分離させた各ラベルを用いて、バスケットの手提げ部分等に巻き掛けるように取り付けたり、被結束物を結束させたり等する作業が容易に行えるようにすることを課題とするものである。さらには、このように手提げ部分等に巻き掛けるように取り付けたり、被結束物を結束させたり等した後に、このラベルが付け替えられたりするのを確実に防止できるようにすることを課題とするものである。
【課題を解決するための手段】
【００１６】
この発明においては、上記のような課題を解決するため、長尺状のラベル基材の片面に接着層が設けられたラベル連続体において、上記の接着層における接着剤に、粘着性が低く接着層相互の接着力が高い自着性接着剤を用い、上記のラベル基材の幅方向に個々のラベルに分離するためのラベル分離用切込みを設けると共に、このラベル分離用切込みと対応するようにラベル基材の幅方向に沿った分離補助線を設けた。
【００１７】
また、上記のラベル連続体においては、上記のラベル分離用切込み及び分離補助線によって切断される個々のラベルにおける接着層相互を接着させる部分の少なくとも一方側に、ラベル破断用切込みを設けることが好ましい。
【００１８】
そして、このように個々のラベルの部分にラベル破断用切込みを設けるにあたっては、このラベル破断用切込みをラベル基材の幅方向に沿って設けると共に、このラベル破断用切込みに、ラベル基材の幅方向と交差する方向に突出する部分を設けることが好ましく、特に、このようにラベル基材の幅方向と交差する方向に突出する部分を、ラベル基材の幅方向と交差する両方向に向けて設けることが好ましい。
【発明の効果】
【００１９】
この発明においては、長尺状のラベル基材の片面に接着層が設けられたラベル連続体において、上記の接着層における接着剤に、粘着性が低く接着層相互の接着力が高い自着性接着剤を用いたため、上記の接着剤層の上に剥離シートを設けなくても、接着層が設けられたラベル基材の面と接着層が設けられていないラベル基材の面とが接触するようにしてこのラベル連続体を巻き取ることができると共に、このラベル連続体が他の物品等に勝手に貼着されるのが防止される。
【００２０】
また、この発明のラベル連続体においては、長尺状のラベル基材の幅方向に個々のラベルに分離するためのラベル分離用切込みを設けると共に、このラベル分離用切込みと対応するようにラベル基材の幅方向に沿った分離補助線を設けたため、ラベル分離用切込みと分離補助線とにおいて、ラベル連続体を所定の適当な長さになった個々のラベルに簡単に分離できるようになり、またこのように分離されたラベルも、上記のラベル連続体と同様に、他の物品等に勝手に貼着されるのが防止されるようになる。
【００２１】
そして、このように分離されたラベルを用いて、バスケットの手提げ部分等に巻き掛けるようにして取り付けたり、被結束物を結束させたり等する際に、ラベルが他の部分に貼着されるということがなく、接着層が設けられたラベルの面相互を合わせて接着させることにより、バスケットの手提げ部分等に巻き掛けるように取り付けたり、被結束物を結束させたり等する作業が容易に行えるようになる。
【００２２】
また、分離される個々のラベルにおいて、接着層相互を接着させる部分の少なくとも一方側にラベル破断用切込みを設けると、上記のように接着層が設けられたラベルの面相互を接着させて、バスケットの手提げ部分等に巻き掛けるように取り付けたり、被結束物を結束させたり等した後、接着層により接着されたラベルの面相互を分離させる際に、このラベル破断用切込みの部分においてラベルが破断されるようになり、このラベルを付け替えたりすることができなくなる。
【００２３】
また、このようにラベルの接着層相互を接着させる部分にラベル破断用切込みを設けるにあたり、このラベル破断用切込みをラベル基材の幅方向に沿って設けると共に、このラベル破断用切込みにラベル基材の幅方向と交差する方向に突出する部分を設けると、接着層により接着されたラベルの面相互を剥離させる際に、このラベル破断用切込みの突出した部分に力が集中し、この部分を起点としてラベルがラベル基材の幅方向に設けられたラベル破断用切込みに沿って簡単に破断されるようになる。特に、上記の突出した部分をラベル基材の幅方向と交差する両方向に設けると、接着層相互を接着させたラベルの先端側及び反対側の何れの方向から剥離させる際にも、突出した部分に力が集中して、ラベルがラベル基材の幅方向に設けられたラベル破断用切込みに沿って簡単に破断されるようになる。
【図面の簡単な説明】
【００２４】
【図１】本発明の一実施形態に係るラベル連続体の一部を示した概略平面図である。
【図２】上記の実施形態に係るラベル連続体の一部を示した概略底面図である。
【図３】上記の実施形態に係るラベル連続体の一部を示した断面図である。
【図４】上記の実施形態に係るラベル連続体において、ラベルの接着層相互を接着させる部分に設けるラベル破断用切込みを変更させた第１の変更例を示した概略平面図である。
【図５】上記の実施形態に係るラベル連続体において、ラベルの接着層相互を接着させる部分に設けるラベル破断用切込みを変更させた第２の変更例を示した概略平面図である。
【図６】上記の実施形態に係るラベル連続体において、接着層が設けられたラベル基材の面と、接着層が設けられていないラベル基材の面とが接触するようにしてラベル連続体を巻き取る状態を示した部分説明図である。
【図７】上記の実施形態に係るラベル連続体を巻き取った状態を示した概略側面図である。
【図８】上記の実施形態に係るラベル連続体から分離させたラベルの概略平面図である。
【図９】上記のラベルをバスケット等の手提げ部分に巻き掛けるようにして取り付けた状態を示した概略説明図である。
【図１０】上記のラベルを被結束物に巻き付けて、被結束物を結束させた状態を示した概略説明図である。
【発明を実施するための最良の形態】
【００２５】
次に、この発明の実施形態に係るラベル連続体を添付図面に基づいて具体的に説明する。なお、この発明に係るラベル連続体は、特に下記の実施形態に示したものに限定されるものではなく、その要旨を変更しない範囲において適宜変更して実施できるものである。
【００２６】
この実施形態に係るラベル連続体１においては、図１〜図３に示すように、長尺の帯状になったラベル基材１１の片面に接着層１２を形成すると共に、このラベル基材１１を幅方向に切断させて所要長さの各ラベル１０に分離させるために、ラベル基材１１の長手方向に所要間隔を介した位置において、このラベル基材１１の幅方向両側の端部にそれぞれの半円状になったラベル分離用切込み１３を設けると共に、この一対のラベル分離用切込み１３の間にラベル基材１１の幅方向に沿ってミシン目からなる分離補助線１４を設けている。
【００２７】
ここで、この実施形態においては、ラベル基材１１の幅方向の端部に設けるラベル分離用切込み１３として、半円状になったものを設けるようにしたが、このラベル分離用切込み１３の形状は特に限定されず、図示していないが、三角状や単に線状のものであってもよく、またラベル基材１１の幅方向両端部をジグザグ状や波型状に形成し、このようにジグザグ状や波形状になった一部を上記のラベル分離用切込み１３として利用することも可能である。
【００２８】
また、この実施形態においては、上記の分離補助線１４としてミシン目を設けるようにしたが、分離補助線１４はミシン目に限られず、図示していないが、例えば、ラベル基材１１を所要厚みまで切り込んだ切れ目線であってもよい。また、分離補助線１４は、直線状に限られず、ジグザグ状や波型状に形成してもよい。
【００２９】
そして、この実施形態に係るラベル連続体１においては、ラベル基材１１の片面に設ける接着層１２における接着剤として、粘着性が低く接着層１２相互の接着力が高い自着性接着剤を用いるようにしている。
【００３０】
ここで、このような自着性接着剤の材料としては、例えば、天然ゴムラテックスとスチレン−アクリルニトリル共重合体水性エマルジョンとを含むものや、天然ゴムとスチレン−イソプレン−スチレンブロック共重合体とを含むエラストマー等を用いることができ、具体的には、サイデン化学株式会社のサイビノール加圧接着剤Ｅ（商品名）等を用いることができる。
【００３１】
また、上記のラベル基材１１としては、一般に使用されている各種の紙や樹脂シート等を用いることができ、上記の接着層１２が設けられていない面に各種の印刷を行うことができる。なお、接着層１２が設けられる側の面に印刷を行うこともできる。また水等が浸透するのを防止する等の目的で、オーバーコート層、アンダーコート層、中間層などの層を上記のラベル基材１１に設けることもできる。
【００３２】
また、この実施形態に係るラベル連続体１においては、上記のラベル分離用切込み１３及び分離補助線１４によって切断される個々のラベル１０において、接着層１２相互を接着させる部分に、ラベル破断用切込み１５として、ラベル基材１１の幅方向と交差する方向に対して半円状に突出する方向を逆にした２種類の半円状切込み１５ａ，１５ｂを、それぞれラベル基材１１の幅方向に沿って所要間隔を介して複数設けるようにし、一方の半円状切込み１５ａを設けた列と、他方の半円状切込み１５ｂを設けた列とを、ラベル基材１１の長手方向に所要間隔を介して交互に複数列設けている。なお、個々のラベル１０における接着層１２相互を接着させる部分に設けるラベル破断用切込み１５はこのようなものに限定されない。例えば、図４に示すように、ラベル基材１１の幅方向に沿って波型状になった波型状切込み１５ｃを、ラベル基材１１の長手方向に所要間隔を介して複数設けるようにしたり、図５に示すように、ラベル基材１１の幅方向に沿ってジグザグ状になったジグザグ状切込み１５ｄを、ラベル基材１１の長手方向に所要間隔を介して複数設けるようにすることも可能である。
【００３３】
そして、この実施形態に係るラベル連続体１においては、上記のように長尺の帯状になったラベル基材１１の片面に形成する接着層１２に接着剤として、粘着性が低く接着層１２相互の接着力が高い自着性接着剤を用いたため、このラベル連続体１が他の物品等に勝手に貼着されるのが防止される。
【００３４】
また、図６に示すように、接着層１２が設けられたラベル基材１１の面と、接着層１２が設けられていないラベル基材１１の面とが接触するようにして、図７に示すように、このラベル連続体１を巻き取った場合、ラベル基材１１に設けられた接着層１２が、接着層１２が設けられていないラベル基材１１の面に接着するのが防止され、このように巻き取ったラベル連続体１を巻き戻して、ラベル連続体１を取り出す作業が容易に行えるようになる。
【００３５】
ここで、ラベル連続体１からラベル１０を分離させる場合には、上記のように取り出したラベル連続体１において、ラベル基材１１に設けた上記のラベル分離用切込み１３の位置から分離補助線１４に沿ってラベル基材１１を切断させて、図８に示すようにラベル１０を分離させる。このようにすると、ラベル連続体１から各ラベル１０を、ラベル分離用切込み１３の位置から分離補助線１４に沿って簡単に分離させることができるようになる。
【００３６】
そして、このように分離させたラベル１０をバスケット等の手提げ部分２に巻き掛けるようにして取り付けるにあたっては、図９に示すように、ラベル１０において接着層１２が設けられた面が手提げ部分２と接するようにして、ラベル１０を手提げ部分２に巻き掛け、接着層１２が設けられたラベル１０の面相互を接着させるようにする。
【００３７】
このようにしてラベル１０をバスケット等の手提げ部分２に巻き掛けて取り付けると、接着層１２が設けられたラベル１０の面相互が接着層１２に用いた自着性接着剤によって強固に接着されるようになり、このように接着層１２相互が接着された部分をこのラベル１０の先端側及び反対側の何れの方向から剥離させるようにした場合においても、上記の２種類の半円状切込み１５ａ，１５ｂからなるラベル破断用切込み１５の部分においてラベル１０が破断されるようになり、このラベル１０を他のバスケット等の手提げ部分２に付け替えたりすることができなくなる。
【００３８】
また、自着性接着剤を用いた接着層１２は上記の手提げ部分２には接着されないため、このラベル１０を手提げ部分２から簡単に取り外すことができるようになる。
【００３９】
また、上記のように分離させたラベル１０を用いて野菜等の被結束物３を結束させるにあたっては、図１０に示すように、ラベル１０において接着層１２が設けられた面が被結束物３と接するようにして、このラベル１０を被結束物３に巻き付けて結束させ、この状態で接着層１２が設けられたラベル１０の面相互を接着させるようにする。
【００４０】
このようにして野菜等の被結束物３を結束させると、接着層１２が設けられたラベル１０の面相互が接着層１２に用いた自着性接着剤によって強固に接着されるようになり、このように接着層１２相互が接着された部分をこのラベル１０の先端側及び反対側の何れの方向から剥離させるようにした場合においても、上記の２種類の半円状切込み１５ａ，１５ｂからなるラベル破断用切込み１５の部分においてラベル１０が破断されるようになる。なお、上記の実施形態においては、ラベル１０の接着層１２相互を接着させる部分の少なくとも一方側にだけラベル破断用切込み１５を形成するようにしたが、ラベル１０の接着層１２相互を接着させる部分の両側にラベル破断用切込み１５を形成するようにしてもよい。
【００４１】
また、自着性接着剤を用いた接着層１２は上記の被結束物３には接着されないため、このラベル１０を被結束物３から取り外す際に、被結束物３が傷んだりするということがなく、被結束物３を簡単に取り出すことができるようになる。
【符号の説明】
【００４２】
１  ラベル連続体
２  手提げ部分
３  被結束物
１０  ラベル
１１  ラベル基材
１２  接着層
１３  ラベル分離用切込み
１４  分離補助線
１５  ラベル破断用切込み
１５ａ，１５ｂ  半円状切込み
１５ｃ  波型状切込み
１５ｄ  ジグザグ状切込み
【図１】
2010217622.tif 000003
【図２】
2010217622.tif 000004
【図３】
2010217622.tif 000005
【図４】
2010217622.tif 000006
【図５】
2010217622.tif 000007
【図６】
2010217622.tif 000008
【図７】
2010217622.tif 000009
【図８】
2010217622.tif 000010
【図９】
2010217622.tif 000011
【図１０】
2010217622.tif 000012